(57)【要約】【課題】  外回りの外周基礎型枠止め金具を自由にどこでも取り付け可能とし、かつ外回り，内回り両型枠を水平位置に保持して作業をスムーズに行わしめる。【解決手段】  平板部材１の上面側両側に型枠を上部から挿し込む型枠挿入部２，３を有し、下面外周側に型枠を下部より挿し込む型枠挿入部３′を有すると共に、中央部下部他側よりに下方へ延びる取付杆４を有する外周基礎の型枠止め金具Ａと、高さ調節支え棒８を介して上部に高さ調整ねじ９により調節可能に螺着固定され、型枠を上部から挿し込む型枠挿入部１３，１４を両側に有し、かつ両側挿入部間に前記高さ調整ねじを螺着固定する穴部を有する上部の帯状平板６よりなる内回り型枠止め金具Ｂとの対によりベタ基礎型枠止め金具を構成した。【選択図】    図１
0003164054.tif 000002
【実用新案登録請求の範囲】
【請求項１】
平板部材の上面側両側に型枠を上部から挿し込む型枠挿入部を有し、下面外周側に型枠を下部より挿し込む型枠挿入部を有すると共に、中央部下部他側よりに下方へ延びる取付杆を有する外周基礎の型枠止め金具と、高さ調節支え棒下端を螺着固定する穴部を有する底部平板及び該平板に高さ調整支え棒を介して上部に高さ調整ねじにより調節可能に螺着固定され、型枠を上部から挿し込む型枠挿入部を両側に有し、かつ両側挿入部間に前記高さ調整ねじを螺着固定する穴部を有する上部の帯状平板よりなる内回り型枠止め金具との対よりなることを特徴とするベタ基礎型枠止め金具。
【考案の詳細な説明】
【技術分野】
【０００１】
本考案は一般の住宅建設においてベタ基礎一体打ち施工におけるコンクリート基礎の型枠組み立てに好適な型枠止め金具に関するものである。
【背景技術】
【０００２】
従来、一般の住宅建設においてはベース部を建設する家の全体に一定又は部分別に特定の厚みの生コンクリートを打設するベタ基礎二回打ち工法や、コンクリートベース固定後、コンクリートベースに使用した外側型枠を組み立てるため基礎の内側の地墨を出し、その地墨に合わせて上下止め金具を配置し家全体の立ち上がり基礎の枠を組み上げ、更に組み上げた外側型枠の上下を木の杭やサポートで固定させ、組んだ立ち上がり型枠内に生コンクリートを打設する工法、あるいはベタ基礎二回打ちで外回り基礎の外側型枠と高さの違う内側型枠を別々に組む工法などが行われていた。
【０００３】
また、ベタ基礎の一体打ちとして建設する家全体にぐり石及び砕石を天圧し、その上に一定の間隔でモルタルダンゴのベースダンゴを打設し、その上にベースプレートを載せてベースプレートのレベル出しをして打設したモルタルダンゴのベースモルタルを固定後、ベースプレート上に型枠止め金具を配置し、外回り基礎の外側型枠のみを組み立てていた。
【０００４】
しかし、上記の如き従来の工法では打設した生コンクリートが半固定及び固定しなければ次の作業に進めないとか、コンクリートを二回打ち工法では型枠止め金具を釘で固定するが、コンクリートが固まらないと釘でコンクリートを掘るだけで効果がなかったり、外回り基礎の高さの違う外側型枠と内側型枠を別々に組む工法では、立ち上がり基礎の生コンクリートを打設する際、生コンクリートのトロが外側型枠とすでに固定しているコンクリートベースの間に流れ込む問題があった。
【０００５】
また、前記従来の一回打ち工法では捨てコンクリートやモルタルダンゴを打設し、更に鉄筋ユニットを搬入して組まなければならないため、外側型枠を組むために大掛かりな作業が必要であった。
【０００６】
そこで、打設したコンクリートが固定しなければ次の作業に進めないことや、外側型枠組み立てに型枠支持装置，支持金具，サポート，パイプ，木の杭作業などの大掛かりな作業をなくし、作業の簡便を図り、強固で品質の高い一体打ちベタ基礎を提供する目的で、型枠を両横面から挿し込む挿入部と、型枠を上から挿し込む挿入部をもつ帯状部材の適所に、他の帯状部材の単数又は複数の足を固着又は組み立て外側型枠と、高さの違う内側型枠をベース天端の高さで支えるか、または外側型枠のみをベースの高さで支えるベタ基礎型枠止め金具が提供され、該型枠止め金具を用いた一体打ち施工法が提案された。（例えば特許文献１参照）
【先行技術文献】
【特許文献】
【０００７】
【特許文献１】特開２０００−３１９９０１号公報
【考案の概要】
【考案が解決しようとする課題】
【０００８】
しかし、上記提案に係る型枠止め金具は、帯状部材に内側型枠の挿入部と、外側型枠の挿入部を同時に有しているため、両挿入部によるコンクリート打設はその範囲が限られ、しかも１重コンクリートであり、内回り型枠（間仕切り型枠）との関連については全く考慮されていない。
【０００９】
本考案は上述の如き実状に対処し、特に外周部の型枠止め金具を自由にどこでも取付けを可能とし、かつ外回り（外周基礎）型枠，内回り（間仕切り）型枠共に水平位置にあることで作業をスムーズに行わしめると共に、内外二重壁を容易に作り得ることを目的とするものである。
【課題を解決するための手段】
【００１０】
即ち、上記目的に適合する本考案は、１つは平板部材の上面側両側に型枠を上部から挿し込む型枠挿入部を有し下面外周側に型枠を下部より挿し込む型枠挿入部を有すると共に、中央部下部他側よりに下方へ延びる取付杆を有する外周（外回り）基礎型枠止め金具と、高さ調節支え棒下端を螺着固定する穴部を有する底部平板及び該平板に高さ調整支え棒を介して上部に高さ調節ねじにより調節可能に螺着固定され、型枠を上部から挿し込む型枠挿入部を両側に有し、かつ両側挿入部間に前記高さ調整ねじを螺着固定する穴部を有する上部の帯状平板よりなる内回り型枠止め金具の対からなるベタ基礎型枠止め金具の構成を特徴とする。
【考案の効果】
【００１１】
本考案ベタ基礎型枠止め金具は一体打ち施工にあたり、通常、スラブコンクリート打設後、養生期間をおいて脱枠後に墨出し、立ち上がり部型枠組み立て後、コンクリート打設となるが、この作業工程の中でスラブコンクリートの養生期間と立ち上がり生コンクリート打設時のポンプ車が不要となり、簡単となると共に、一体化により継ぎ目からの水の浸入もなく、強度も向上し、一度のコンクリート打設業のみで終了し、経費の削減を図ることができる。
【図面の簡単な説明】
【００１２】
【図１】本考案に係る型枠止め金具を示し、（イ）は外周基礎の型枠用、（ロ）は内回り型枠用である。
【図２】本考案型止め金具の配設態様を示す概要図である。
【図３】上記本考案型枠止め金具を用いた図２におけるＸ−Ｘ断面のベタ基礎一体打ち施工の態様を示す概要説明図である。
【考案を実施するための形態】
【００１３】
以下、更に添付図面を参照し、本考案の詳細について説明する。図１（イ），（ロ）は本考案に係る型枠止め金具の１例であり、（イ）は外回り外周基礎型枠用Ａ、（ロ）は内回り（間仕切り）型枠用Ｂを示す。
【００１４】
図（イ）における外周（外回り）基礎型枠止め金具Ａにおいて１は平板部材で、少なくとも一方の端部の適宜長さ部分ａと中央部ｂにおいて上下折曲部分が構成され、該部分により上面側両側に外側型枠１１と内側型枠１１′を上部より挿し込む型枠挿入部２，３と下面側外周部に下方より外側型枠１２を挿し込む型枠挿入部３′が夫々形成されている。そして、該平板部材の中央部下面側において稍内方寄りの位置において下方へ延びる取付杆４が取り付けられている。この取付杆は溶接によって取り付けてもよいが、高さ調整可能に高さ調整支え棒とすることもできる。
【００１５】
一方、図（ロ）は間仕切りを形成する内回り型枠止め金具Ｂで底部平板５と上部帯状平板６を有しており、底部平板５には高さ調整支え棒８を起立させるための穴部７が、図面では２個であるが、１個でもよく、また３個以上でもよく、随時、設けられていて高さ調整支え棒８をナット溶接等７により固定し、上部帯状平板６のねじ穴に挿通して調整ねじ９により高さを調整して固定ねじ１０により螺着する如く構成されている。そして、上部帯状平板６には内外型枠を上方より挿入するための型枠挿入部１３，１４が所要の間隔をおいて両側に設けられていて、夫々、内外の型枠１５を保持し得るようになっている。
【００１６】
次に上記型枠止め金具を用いてベタ基礎一体打ち施工する方法を図２に示す外回り基礎Ｍならびに内回りＮを対象として図３に基づいて説明する。先ず砕石又はグリ石を天圧して基礎地面２１を作り、その外回り基礎地面上に捨てコンクリート２２を打設して、該捨てコンクリート２２上に墨出し後、既知の巾止め金具をコンクリート面に釘打ち固定する。同時に図３に示す型枠止め金具Ｂを固定してから下方に延びる外側型枠１２を設置後、型枠止め金具Ａを配置し、該外周基礎の型枠用止め金具Ａを捨てコンクリート面に取付杆４下端を接して立設し、その型枠挿入部２，３に上面より上方に延びる外側及び内側型枠１１，１１′を挿入し立設する。その時、内側型枠１１′と内回り型枠止め金具Ｂの型枠１５を継ぎ、外周と間仕切り基礎を一体化する。内回り型枠止め金具Ｂはモルタル２３又は釘打ちにより固定してその上面に内回り型枠の底部平板５を載置保持せしめると共に、高さ調整支え棒８により高さを調整し、外周基礎の型枠と水平位置を合わせて上部帯状平板６の高さを調整し、レベルを合わせた外周外回りと内回りの各型枠の両帯状平板１，６の位置を決めて内回り型枠用の止め金具Ｂの型枠挿入部１３，１４に上部より夫々型枠１５を挿入してベース鉄筋２４，立ち上がり鉄筋２５をベタ基礎面及び外回り外周基礎と内回りの各型枠内部に配して各型枠内にコンクリート２６を打設することによってベタ基礎一体打ち施工が行われる。なお、内回り型枠止め金具に鉄筋作業を行うに際しては、底部平板５を先ず固定した後、鉄筋組作業を行い、作業後上部の帯状平板６を高さ調整支え棒８の上部に螺着し、夫々型枠を所定の挿入部に上から挿入するのが速やかに作業する上に効果的である。
【００１７】
このにように作成された外周外回り，内回りの各型枠に対し夫々の平板部を水平に配し、内回り型枠止め金具の上部帯状平板と底部平板との間隔をもって鉄筋２４，２５をその中に埋設してコンクリート２６を打設することによってベタ基礎コンクリートが形成されると共に、外周基礎及び間仕切り用の内回りの各立ち上がり型枠についても鉄筋を含みコンクリートを打設することによって簡便な作業で住宅建設における基礎が完成する。
【符号の説明】
【００１８】
Ａ：外周基礎の型枠止め金具
Ｂ：内回り型枠止め金具
１：外周基礎の型枠の平板部材
２，３：外周基礎の型枠の上部型枠挿入部
３′：外周基礎の型枠の下部型枠挿入部
４：外周基礎の型枠取付杆
５：底部平板
６：上部帯状平板
７：ナット溶接
８：高さ調整支え棒
９：高さ調整ねじ
１０：固定ねじ
１１，１２：外周基礎型枠の外側型枠
１１′：外周基礎型枠の内側型枠
１３，１４：内回り型枠の型枠挿入部
１５：内回り型枠
２１：基礎地面
２２：捨てコンクリート
２３：モルタル
２４：ベース鉄筋
２５：立ち上がり鉄筋
２６：コンクリート
【図１】
0003164054.tif 000003
【図２】
0003164054.tif 000004
【図３】
0003164054.tif 000005